(57)【要約】【課題】携帯端末を、トレイを筐体から引き出すことで製造番号などの機器情報を簡単に確認でき、トレイの取付け作業が容易であり、且つ取付け後のトレイが筐体から外れ難いものにする。【解決手段】機器情報の記載されたトレイ（21）をカードコネクタ（11）の上側に取り付けてコネクタ用開口（17）から外部へ引出し可能に筐体（9）内に収容し、トレイ（21）に設けられた左右一対の側壁部（33）のうちトレイ挿入方向における奥側で互いに対向する部分に抜止め片（43）を設け、側壁部（33）のうち抜止め片（43）が設けられた部分を、トレイ取付け時に筐体（9）内への抜止め片（43）の進入を許容し、トレイ取付け後の状態では抜止め片（43）をコネクタ用開口（17）の周縁部分（18）に引っ掛けるように構成する。【選択図】図６
2015027009.tif 000002
【特許請求の範囲】
【請求項１】
筐体内に扁平な内部部品が収容され、該内部部品の一方端を外部に露出させる開口が前記筐体の側面に形成された携帯端末であって、
前記内部部品の厚さ方向における一方側に重ねた状態に前記筐体の開口から内部に挿入することで取り付けられ、前記内部部品に沿ってスライドさせて前記筐体の開口から外部に引出し可能なトレイを備え、
前記トレイは、機器情報が記載された本体部と、該本体部の両側端縁から前記内部部品の厚さ方向における他方側に向かって延びると共に前記内部部品の側面に沿って引出し方向に延びる一対の側壁部とを有し、
前記一対の側壁部のうち前記トレイの挿入方向における奥側で互いに対向する部分には、前記トレイの外方に突出する抜止め片がそれぞれ設けられ、
前記側壁部のうち前記抜止め片が設けられた部分は、前記トレイの取付け時に前記抜止め片が前記筐体の開口の周縁部分に押圧されることで前記トレイの内側に弾性変形により撓んで前記筐体内への前記抜止め片の進入を許容し、前記トレイを取り付けた状態では前記内部部品の側面で前記トレイの内側から支持されて前記抜止め片を前記筐体の開口の周縁部分に前記筐体内から引っ掛ける
ことを特徴とする携帯端末。
【請求項２】
請求項１に記載された携帯端末において、
前記抜止め片は、前記トレイの挿入方向における奥側に臨む部分に前記筐体内に進入しやすくする誘い込み形状を有する
ことを特徴とする携帯端末。
【請求項３】
請求項１又は２に記載された携帯端末において、
前記トレイの本体部のうち前記抜止め片の内側に位置する部分には、当該本体部を貫通し、前記側壁部をトレイの内側に撓ませる肉抜き部が形成されている
ことを特徴とする携帯端末。
【請求項４】
請求項１〜３のいずれか１項に記載された携帯端末において、
前記内部部品は、カードコネクタであり、
前記カードコネクタのうち前記トレイの本体部との対向部分は、金属製であって、貫通孔を有し、
前記カードコネクタと前記トレイの本体部との間には、前記貫通孔を覆う平坦なシート部材が設けられている
ことを特徴とする携帯端末。
【発明の詳細な説明】
【技術分野】
【０００１】
本発明は、製造番号などの機器情報が記載された携帯端末に関するものである。
【背景技術】
【０００２】
従来から、携帯電話機に代表される携帯端末においては、製造年月日、型名、商品コード、製造番号などの機器情報を表記したラベルが、筐体の背面カバーを外した位置にあるバッテリ収容凹部の底面に貼り付けられていることが多い（例えば、特許文献１参照）。
【０００３】
また、近年のスマートフォンと呼ばれる薄型の携帯端末では、筐体の背面カバーの表面に機器情報が記載されていたり、この背面カバーの取外しが可能な場合は背面カバーを外した筐体の内部に機器情報を表記したラベルが貼り付けられていたりしている。
【先行技術文献】
【特許文献】
【０００４】
【特許文献１】特開２００２−３１４６５３号公報
【発明の概要】
【発明が解決しようとする課題】
【０００５】
上述したように機器情報が筐体の背面に記載されている携帯端末では、機器情報の記載場所を外面に確保しなくてはならず、機器情報が外観にも見えるため、デザイン面で制約を受ける。また、背面カバーを外した筐体の内部に機器情報を表記したラベルが貼り付けられている携帯端末では、筐体の構造が背面カバーの取外し可能な構造に限定されるため、構造設計上の制約を受ける。
【０００６】
そこで、携帯端末に対し、機器情報を記載したトレイを、例えば筐体に収容されたカードコネクタの上側に重ねた状態に取り付けて、カードコネクタのカード挿入口を露出させる筐体の開口から外部に引出し可能な構成とすることで、必要な際にトレイを引き出すだけで機器情報を簡単に確認できるようにすることが考えられる。
【０００７】
このような構成によれば、携帯端末のデザイン面及び構造設計上の制約を緩和することが可能であるが、トレイが筐体から完全に抜け出ると紛失するおそれがあることから、トレイを筐体から外れない構造にする必要がある。しかし、トレイに抜止め片を設け、携帯端末の組立て時にトレイをカードコネクタと共に筐体内に収容し、当該トレイを抜止め片で筐体から外れないように組み付ける構造にすると、トレイの取付け作業、ひいては携帯端末の組立て作業に手間がかかる。
【０００８】
本発明は、斯かる点に鑑みてなされたものであり、その目的とするところは、トレイを筐体内から引き出すだけで機器情報を簡単に確認でき、当該トレイの取付け作業が容易であり、且つ取付け後のトレイが筐体から外れ難い携帯端末を提供することにある。
【課題を解決するための手段】
【０００９】
上記の目的を達成するために、この発明では、機器情報の記載されたトレイをカードコネクタなどの内部部品の上側に取り付けて外部へ引出し可能な構成とし、そのトレイの取付け構造を工夫した。
【００１０】
具体的には、本発明は、筐体内に扁平な内部部品が収容され、この内部部品の一方端を外部に露出させる開口が筐体の側面に形成された携帯端末を対象とし、以下の解決手段を講じたものである。
【００１１】
すなわち、本発明は、内部部品の厚さ方向における一方側に重ねた状態に取り付けられたトレイを備える。トレイは、筐体の開口から内部に挿入することで取り付けられ、内部部品に沿ってスライドさせて筐体の開口から外部に引出し可能になっている。このトレイは、機器情報が記載された本体部と、この本体部の両側端縁から内部部品の厚さ方向における他方側に向かって延びると共に内部部品の側面に沿って引出し方向に延びる一対の側壁部とを有する。一対の側壁部のうちトレイの挿入方向における奥側で互いに対向する部分には、トレイの外方に突出する抜止め片がそれぞれ設けられている。そして、側壁部のうち抜止め片が設けられた部分は、トレイの取付け時に、抜止め片が筐体の開口の周縁部分に押圧されることでトレイの内側に弾性変形により撓んで筐体内への前記抜止め片の進入を許容し、トレイを取り付けた状態では、内部部品の側面でトレイの内側から支持されて抜止め片を筐体の開口の周縁部分に筐体内から引っ掛ける。なお、ここで言う「機器情報」とは、製造年月日、型名、商品コード、製造番号などの端末機器に関する情報を意味する。また、「記載された」とは、直接印字されている場合は勿論、機器情報を表記したラベルが貼り付けられている場合も含む。
【００１２】
この構成によると、携帯端末の筐体内に機器情報が記載されたトレイが外部に引出し可能に取り付けられているので、必要な際にこのトレイを引き出すだけで機器情報を簡単に確認することができる。このトレイは、筐体の開口から内部に挿入するだけで、筐体内への抜止め片の進入が許容されるので、容易に携帯端末に取り付けることができる。そして、携帯端末に取り付けられた後のトレイは、抜止め片が筐体の開口の周縁部分に引っ掛かるので、筐体から外れ難くすることができる。
【発明の効果】
【００１３】
本発明によれば、トレイを筐体内から引き出すだけで機器情報を簡単に確認でき、当該トレイの取付け作業が容易であり、且つ取付け後のトレイを筐体から外れ難くすることができる。
【図面の簡単な説明】
【００１４】
【図１】図１（ａ）は、本発明の実施形態に係る携帯電話機の正面図である。図１（ｂ）は、本発明の実施形態に係る携帯電話機の上面図である。
【図２】図２（ａ）は、本発明の実施形態に係る携帯電話機のコネクタ用開口内及びその周辺を示す拡大上面図である。図２（ｂ）は、本発明の実施形態に係る携帯電話機の製番トレイを引き出した状態を示す拡大正面図である。
【図３】図３は、図２（ａ）のIII−III線における断面図である。
【図４】図４は、本発明の実施形態に係るカードコネクタと製番トレイとの重なり部分の構造を携帯電話機の背面側から示す図である。
【図５】図５は、本発明の実施形態に係る製番トレイの斜視図である。
【図６】図６（ａ）〜（ｃ）は、携帯電話機に対する製番トレイの取付け作業の様子を示す図３対応図である。
【発明を実施するための形態】
【００１５】
以下、本発明に係る実施形態を図面に基づいて詳細に説明する。なお、以下の実施形態は、本質的に好ましい例示であって、本発明、その適用物、或いはその用途の範囲を制限することを意図するものではない。
【００１６】
図１及び図２は、この実施形態に係る携帯端末である携帯電話機１を示す。図１（ａ）は、携帯電話機１の正面図である。図１（ｂ）は、携帯電話機１の上面図である。図２（ａ）は、携帯電話機１のコネクタ用開口１７内を示す拡大上面図である。図２（ｂ）は、携帯電話機１の製番トレイ２１を引き出した状態を示す拡大正面図である。なお、図２（ａ）では、上側が携帯電話機１の背面側、下側が携帯電話機１の正面側となっている。
【００１７】
携帯電話機１は、図１（ａ），（ｂ）に示すように、スマートフォンと呼ばれる薄型の携帯端末であり、平面視で略長方形状に形成されていて、正面側に表示画面３を有している。携帯電話機１は、表示装置やカメラ、バッテリ、メインボード、アンテナ、カードコネクタ１１、スピーカなどの複数の部品を筐体９内に収容した構造を有する。
【００１８】
筐体９は、例えば、正面側をカバーする筐体本体部９ａと、背面側をカバーする背面カバー９ｂとを備えている。これら筐体本体部９ａ及び背面カバー９ｂの周縁部分同士は、接合されている。この筐体９内に収容された複数の部品のうちカードコネクタ１１は、扁平な内部部品であり、例えば、正面視で携帯電話機１の上端部左寄りの部分に配置されている。
【００１９】
カードコネクタ１１は、切手大のＳＤ（Secure Digital）メモリカード１０１（図３参照）が装着される直挿しタイプのカードコネクタである。このカードコネクタ１１は、図２（ａ）に示すように、ＳＤメモリカード１０１を挿抜自在なカード収容スペースＳを内部に有している。カードコネクタ１１は、このカード収容スペースＳにメモリカード１０１を挿入するためのカード挿入口１１ａを一方端に有し、このカード挿入口１１ａを携帯電話機１の上方に向けた状態で、メインボードに接続された回路基板１５上に実装されていて、その厚さ方向において回路基板１５と対向している。
【００２０】
筐体９の上側に位置する側面（上面）には、このカードコネクタ１１のカード挿入口１１ａを外部に露出させるコネクタ用開口１７が左右方向に延びるように横長に形成されている。回路基板１５は、このコネクタ用開口１７の高さ方向（図２（ａ）で上下方向）における中程に対応する箇所に配置されている。カードコネクタ１１は、この回路基板１５に対して携帯電話機１の背面側に配置されている。
【００２１】
なお、本明細書では、カードコネクタ１１の厚さ方向における回路基板１５側を「カードコネクタ１１の下側」と称し、カードコネクタ１１の厚さ方向における回路基板１５側とは反対側を「カードコネクタ１１の上側」と称する。カードコネクタ１１の上側は携帯電話機１の背面側に、当該カードコネクタ１１の下側は携帯電話機１の正面側にそれぞれ対応している。
【００２２】
本実施形態の携帯電話機１は、このカードコネクタ１１の上側に重ねた状態に取り付けられた樹脂製の製番トレイ２１を備えている。この製番トレイ２１は、コネクタ用開口１７から筐体９の内部に挿入することで取り付けられている。また、この製番トレイ２１は、カードコネクタ１１に沿ってスライドさせて、図２（ｂ）に示すようにコネクタ用開口１７から外部へ引出し可能になっている。製番トレイ２１には、製造年月日、型名、商品コード、製造番号などの機器情報を表記したラベル２３が貼り付けられている。これによって、携帯電話機１は、製番トレイ２１をコネクタ用開口１７から外部へ引き出すことで、機器情報を簡単に確認できるようになっている。
【００２３】
コネクタ用開口１７における携帯電話機１外側に位置する部分の周縁形状は、防水性を確保する観点などから、角張らない滑らかな略長円形状となっている。このコネクタ用開口１７における携帯電話機１内側に位置する部分の内周面には、当該開口１７内方に突出する突出壁１８が、カードコネクタ１１及び製番トレイ２１（後述する抜止め片４３を除く）の外形に先端面を沿わせるように設けられている。この突出壁１８は、コネクタ用開口１７の周縁部分を構成している。
【００２４】
このコネクタ用開口１７は、カードコネクタ１１へのメモリカード１０１の挿抜又は製番トレイ２１の引出しを行わないときは、図１（ｂ）に示すように、当該コネクタ用開口１７の側方にヒンジ１９ａ（図２（ｂ）参照）を介して取り付けられたコネクタカバー１９で覆って閉塞される。
【００２５】
図３は、図２（ａ）のIII−III線における断面図である。図４は、カードコネクタ１１と製番トレイ２１との重なり部分の構造をカードコネクタ１１の上側、つまり携帯電話機１の背面側から示す図である。なお、図３では、カードコネクタ１１にメモリカード１０１を挿入した状態を示している。カードコネクタ１１は、図２（ａ）、図３及び図４に示すように、樹脂製の底面部２５と、この底面部２５との間にカード収容スペースＳを形成する金属製のハウジング２７とを組み合わせて、一方端にカード挿入口１１ａを有する扁平な箱形に形成されている。
【００２６】
カードコネクタ１１の底面部２５は回路基板１５に設置され、ハウジング２７が製番トレイ２１側に位置して製番トレイ２１と対向している。すなわち、カードコネクタ１１のうち製番トレイ２１との対向部分は金属製である。カードコネクタ１１の底面部２５には、図３に示すように、メモリカード１０１の挿入方向（以下、カード挿入方向と称する）に延びる金属製の端子部材２９が複数（図４に示す例では８つ）並べて設けられている。
【００２７】
これら各端子部材２９のうちカード挿入口１１ａ側、つまりカード挿入方向における手前側に位置する第１端部２９ａは、カードコネクタ１１の底面部２５に形成されたコンタクト用の貫通孔２５ａを介して回路基板１５の配線に半田付けで接続されている。
【００２８】
他方、各端子部材２９のカード収容スペースＳの奥側に位置する第２端部２９ｂは、ハウジング２７のうち底面部２５と対向する天面部２７ａ側に曲げ起こされた弾性接片からなり、メモリカード１０１の端子に加圧接触するようになっている。カードコネクタ１１の底面部２５には、この加圧接触により下方に押し出された端子部材２９の第２端部２９ｂを逃がすための貫通孔２５ｂが形成されている。
【００２９】
また、カードコネクタ１１のハウジング２７のうち端子部材２９の両端部に対応する箇所には、図４に示すように、カード収容スペースＳへの挿入によってメモリカード１０１に加わる圧力を緩和するために第１貫通孔２７ｂ及び第２貫通孔２７ｃが形成されている。
【００３０】
ハウジング２７のカード挿入方向における手前側には、複数の端子部材２９の第１端部２９ａに対応する２つの第１貫通孔２７ｂが左右に間隔をあけて略矩形状に形成されている。これら２つの第１貫通孔２７ｂは、複数の端子部材２９のうち、右側半分の各端子部材２９の第１端部２９ａと、左側半分の各端子部材２９の第１端部２９ａとにそれぞれ対応している。また、ハウジング２７のカード挿入方向における奥側には、各端子部材２９の第２端部２９ｂ毎に、これら各第２端部２９ｂに対応する略長円形状の第２貫通孔２７ｃが形成されている。
【００３１】
図５は、製番トレイ２１の斜視図である。製番トレイ２１は、図５に示すように、カードコネクタ１１の上側に重なる略長方形板状の本体部３１と、この本体部３１の長辺方向に沿う両側端縁からカードコネクタ１１の下側に向かって延びると共にカードコネクタ１１の幅方向における側面に沿って引出し方向（以下、トレイ引出し方向と称する）に延びる一対の側壁部３３とを有している。機器情報は、それが記載されたラベルを製番トレイ２１の本体部３１表面に貼り付けることで、当該本体部３１に記載されている。
【００３２】
この製番トレイ２１の本体部３１のうちトレイ引出し方向における手前側端部で右側寄りの部分には、横長に延びる略長円形状の貫通孔３５ａを有する把持部３５が設けられている。製番トレイ２１は、この把持部３５を摘まむか又はこの把持部３５の貫通孔３５ａにピンなどを引っ掛けることで、簡単に引き出すことが可能になっている。
【００３３】
また、製番トレイ２１における一対の側壁部３３のうち一方の側壁部３３（図５で左側の側壁部３３）には、製番トレイ２１の内方に突出する当接片３７が形成されている。この当接片３７は、側壁部３３の高さ方向に沿って突条に延びていて、カードコネクタ１１の側面に当接することで製番トレイ２１のがたつきを抑えるようになっている。
【００３４】
製番トレイ２１の本体部３１のうち両側端縁部分３１ａは、図２（ａ）及び図５に示すように、その間に位置する部分よりも厚く形成されていて、カードコネクタ１１側に若干突出している。製番トレイ２１は、本体部３１のうちこれら両側端縁部分３１ａがカードコネクタ１１上に支持されて、その間に位置する部分がカードコネクタ１１から浮いた状態に保持されている。
【００３５】
製番トレイ２１の本体部３１のトレイ挿入方向における奥側端部には、図５に示すように、同方向における手前側に向かって次第に大きく突出するスロープ状の摺動突部３９が左右に間隔をあけて一対設けられている。これら各摺動突部３９の先端における突出高さの位置は、製番トレイ２１の本体部３１の両側端縁部分３１ａの突出高さの位置と同程度となっている。
【００３６】
この製番トレイ２１の本体部３１とカードコネクタ１１との間には、図４に示すように、第１貫通孔２７ｂを２つとも覆うように平坦な樹脂製のシート部材４１がスペーサとして設けられている。そのことで、製番トレイ２１における本体部３１の両側端縁部分３１ａ及び各摺動突部３９は、製番トレイ２１のスライド動作時に、このシート部材４１と摺動することとなる。これにより、製番トレイ２１の本体部３１は、各第１貫通孔２７ｂの周縁に摺動しないので、各第１貫通孔２７ｂとの摺動で傷付くことが防止される。
【００３７】
そして、一対の側壁部３３のうち製番トレイ２１の挿入方向（以下、トレイ挿入方向と称する）における奥側で互いに対向する部分には、図３〜図５に示すように、製番トレイ２１の外方に突出する抜止め片４３がそれぞれ設けられている。これら各抜止め片４３のトレイ引出し方向における手前側の面は、側壁部３３から垂直に延びる当接面４３ａとなっている。
【００３８】
また、各抜止め片４３は、トレイ挿入方向における奥側に臨む部分に、筐体９内に進入しやすくする誘い込み形状を有している。誘い込み形状は、例えば、トレイ挿入方向における奥側から手前側に向かって製番トレイ２１の外方に延びる傾斜面４３ｂを有する形状である。これによって、製番トレイ２１を携帯電話機１への取付け時に筐体９内に速やかに挿入することが可能になっている。
【００３９】
さらに、製番トレイ２１の本体部３１のうち各抜止め片４３の内側に位置する部分には、当該本体部３１を貫通する肉抜き部２１ａが平面視で略長方形状に形成されている。肉抜き部２１ａは、抜止め片４３のトレイ挿入方向で前後に位置する部分に対応する箇所にも、所定の範囲に亘って形成されている。そのことで、製番トレイ２１の各側壁部３３のうち抜止め片４３が設けられた部分は、製番トレイ２１の内側、つまり肉抜き部２１ａ側に弾性変形により撓みやすくなっているが、携帯電話機１に取り付けられた状態では、カードコネクタ１１の側面で製番トレイ２１の内側から支持された状態となっていて、肉抜き部２１ａ側に撓むことが防止されている。
【００４０】
図６（ａ）〜（ｃ）は、携帯電話機１に対する製番トレイ２１の取付け作業の様子を示す図３対応図である。製番トレイ２１は、筐体９の内部に表示装置やカードコネクタ１１などの複数の部品を収容した状態に携帯電話機１を組み立てた後に、携帯電話機１に取り付けられる。製番トレイ２１の取付け作業は、図６（ａ）に示すように、把持部３５を手前側にして抜止め片４３が設けられた方を奥側に向けた状態で、コネクタ用開口１７からカードコネクタ１１の上側に挿入するだけである。
【００４１】
この製番トレイ２１の挿入過程において、一対の抜止め片４３は、図６（ｂ）に示すように、コネクタ用開口１７内に入った後に、傾斜面４３ｂが突出壁１８に当接し、製番トレイ２１が挿入されていくに従い、この突出壁１８で肉抜き部２１ａ側に押圧される。このとき、各側壁部３３のうち抜止め片４３が設けられた部分は、当該抜止め片４３が突出壁１８に押圧されるのに応じて肉抜き部２１ａ側に弾性変形により撓む。そのことで、筐体９内への抜止め片４３の進入が許容される。
【００４２】
そして、これら各側壁部３３のうち抜止め片４３が設けられた部分は、図６（ｃ）に示すように、一対の抜止め片４３が筐体９内に完全に進入して突出壁１８による抜止め片４３への押圧が解除されると、撓んだ状態から弾性回復して、抜止め片４３の当接面４３ａを突出壁１８に対向させた状態となる。こうして製番トレイ２１が携帯電話機１に取り付けられた状態では、各側壁部３３のうち抜止め片４３が設けられた部分は、上述したようにカードコネクタ１１の側面で内側から支持されて撓むことが防止されるので、製番トレイ２１を最も引き出したときには、両方の抜止め片４３が突出壁１８に筐体９内から引っ掛かる。そのことで、製番トレイ２１が引出し時に勢い余ってコネクタ用開口１７から抜け出て筐体９から外れることが防止される。
【００４３】
したがって、本実施形態の携帯電話機１によると、製番トレイ２１を筐体９から引き出すだけで製造番号などの機器情報を簡単に確認でき、当該製番トレイ２１の取付け作業が容易であり、且つ取付け後の製番トレイ２１を筐体９から外れ難くすることができる。
【００４４】
なお、上記実施形態では、製番トレイ２１の本体部３１のうち抜止め片４３の内側に位置する部分に、前記側壁部３３を撓ませる肉抜き部２１ａが形成されているとしたが、これに限らず、この肉抜き部２１ａに代えて同部分に他の部分に比べて肉厚が薄い薄肉部が形成されていてもよく、その他の手段によって、側壁部３３のうち抜止め片４３が設けられた部分を弾性変形により撓みやすくしていても構わない。
【００４５】
上記実施携帯では、機器情報が記載されたラベルが製番トレイ２１の本体部３１表面に貼り付けられているとしたが、これに限らず、機器情報は、製番トレイ２１の表面に直接印字されていても構わない。
【００４６】
上記実施形態では、カードコネクタ１１が携帯電話機１の上端部に配置され、コネクタ用開口１７が筐体９の上面に形成された形態を説明したが、カードコネクタ１１が携帯電話機１の左右の側端部に配置され、コネクタ用開口１７が筐体９の左右一方の側面に形成されていてもよく、カードコネクタ１１が携帯電話機１の下端部に配置され、コネクタ用開口１７が筐体９の下側に位置する側面（下面）に形成されていても構わない。
【００４７】
上記実施形態では、カードコネクタ１１は、メモリカード１０１が直接挿入される直挿しタイプであるとしたが、一方端にトレイ挿入口を有する筐体状のコネクタ本体内にメモリカードを収納したトレイを挿入するトレイタイプのカードコネクタであってもよい。
【００４８】
また、カードコネクタ１１は、ＳＤメモリカード１０１が装着されるものであるとしたが、ＳＩＭ（Subscriber Identity Module）カードなどの他のメモリカードが装着されるカードコネクタであってもよく、更には、メモリカードに限らず、その他の種類のカードが装着されるカードコネクタであってもよい。
【００４９】
上記実施形態では、コネクタ用開口１７における携帯電話機１外側に位置する部分の周縁形状は、防水性を確保する観点から角張らない滑らかな略長円形状となっているとしたが、これに限らず、防水性以外の観点で略長円形状となっていてもよく、また、略長方形状などその他の形状に形成されていても構わない。
【００５０】
上記実施形態では、カードコネクタ１１の上側に重ねた状態に製番トレイ２１が取り付けられた形態を例に挙げて説明したが、これに限らず、製番トレイ２１は、筐体９の内部に収容されたカードコネクタ１１以外の装置又は機構のホルダやシャーシ（フレーム）といった扁平な内部部品の厚さ方向における一方側に重ねた状態に取り付けられ、その内部部品に沿ってスライドさせて当該内部部品の一方端を外部に露出させる筐体９の開口から外部に引き出し可能になっていてもよい。
【００５１】
上記実施形態では、本発明に係る携帯端末について、携帯電話機１を例に挙げて説明したが、本発明はこれに限らず、ＰＨＳ（Personal Handy-phone System）、ＰＤＡ（Personal Digital Assistant）、パソコン、モバイルツール、電子辞書、電卓、ゲーム機などにも適用することが可能である。
【符号の説明】
【００５２】
１        携帯電話機（携帯端末）
９        筐体
１１      カードコネクタ（内部部品）
１１ａ    カード挿入口
１５      回路基板
１７      コネクタ用開口
２１      製番トレイ
２１ａ    肉抜き部
２７ａ    第１貫通孔
２７ｂ    第２貫通孔
３１      本体部
３３      側壁部
４１      シート部材
４３      抜止め片
４３ｂ    傾斜面
【図１】
2015027009.tif 000003
【図２】
2015027009.tif 000004
【図３】
2015027009.tif 000005
【図４】
2015027009.tif 000006
【図５】
2015027009.tif 000007
【図６】
2015027009.tif 000008